【手続補正書】
【提出日】平成17年5月18日(2005.5.18)
【手続補正１】
【補正対象書類名】特許請求の範囲
【補正対象項目名】全文
【補正方法】変更
【補正の内容】
【特許請求の範囲】
【請求項１】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、前記汚水流入設備にあっては流入汚水がマンホールを通ってポンプ井または沈砂池に入った後に曝気槽に供給され、前記汚泥処理設備にあっては前記沈澱池から出た沈澱汚泥を貯溜する汚泥貯溜槽を備え、この汚泥貯溜槽内の貯溜汚泥を減量汚泥として前記汚水流入設備のマンホールに戻す循環通路を設けたことを特徴とする汚水処理装置。
【請求項２】
汚水流入設備でマンホールを通ってポンプ井または沈砂池に入った後に曝気槽に入った汚水を活性汚泥を利用して処理し、この曝気槽から出た混合液が直接的にまたは間接的に入る沈澱池により処理された沈澱汚泥を汚泥処理設備の汚泥貯溜槽で貯溜した後、この汚泥貯溜槽内の貯溜汚泥を減量汚泥として前記汚水流入設備のマンホールに戻すことを特徴とする汚水処理方法。
【請求項３】
前記汚泥処理設備の汚泥貯溜槽内に空気を強制導入することを特徴とする請求項２に記載の汚水処理方法。
【請求項４】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、前記汚水流入設備にあっては流入汚水がポンプ井または沈砂池に入った後に曝気槽に供給され、前記汚泥処理設備にあっては前記沈澱池から出た沈澱汚泥が濃縮槽に供給された後にこの濃縮槽から出た濃縮汚泥が汚泥貯溜槽に供給され、この汚泥貯溜槽内の貯溜汚泥を減量汚泥として前記汚水流入設備のポンプ井または沈砂池に戻す循環通路を設けたことを特徴とする汚水処理装置。
【請求項５】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、
前記汚泥処理設備にあっては前記沈澱池から出た沈澱汚泥を貯溜する汚泥貯溜槽を備え、この汚泥貯溜槽内の貯溜汚泥を減量汚泥として前記汚水流入設備のポンプ井または沈砂池に戻す循環通路を設け、
前記汚水流入設備にあっては流入汚水がマンホールを通ってポンプ井または沈砂池に入った後に曝気槽に供給され、前記沈澱池から出た沈澱汚泥を抑制汚泥として前記汚水流入設備のマンホールに戻す循環通路を設けた
ことを特徴とする汚水処理装置。
【請求項６】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、
前記汚泥処理設備にあっては前記沈澱池から出た沈澱汚泥を貯溜する汚泥貯溜槽を備え、この汚泥貯溜槽内の貯溜汚泥を減量汚泥として前記汚水流入設備のポンプ井または沈砂池に戻す循環通路を設け、
前記汚水流入設備にあっては流入汚水がマンホールを通ってポンプ井または沈砂池に入った後に曝気槽に供給され、前記汚泥処理設備では沈澱汚泥が汚泥分配槽により汚泥貯溜槽に分配され、前記沈澱池から出た沈澱汚泥を抑制汚泥として前記汚泥処理設備の汚泥分配槽から前記汚水流入設備のマンホールに戻す循環通路を設けた
ことを特徴とする汚水処理装置。
【請求項７】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、
前記汚泥処理設備にあっては前記沈澱池から出た沈澱汚泥を貯溜する汚泥貯溜槽を備え、この汚泥貯溜槽内の貯溜汚泥を減量汚泥として前記汚水流入設備のポンプ井または沈砂池に戻す循環通路を設け、
前記汚水流入設備にあっては流入汚水がポンプ井または沈砂池に入った後に曝気槽に供給され、前記汚泥処理設備では沈澱汚泥が汚泥分配槽により汚泥貯溜槽と濃縮槽とに分配され、前記沈澱池から出た沈澱汚泥を抑制汚泥として前記汚泥処理設備の汚泥分配槽から濃縮槽を通って前記汚水流入設備のポンプ井または沈砂池に戻す循環通路を設けた
ことを特徴とする汚水処理装置。
【請求項８】
活性汚泥を利用した曝気槽と、この曝気槽に入るまでの汚水を処理する汚水流入設備と、この曝気槽から出た混合液が直接的にまたは間接的に入る沈澱池とを備えた汚水処理装置おいて、前記汚水流入設備にあっては流入汚水がマンホールを通ってポンプ井または沈砂池に入った後に曝気槽に供給され、前記沈澱池から出た沈澱汚泥を抑制汚泥として前記汚水流入設備のマンホールに戻す循環通路を設けたことを特徴とする汚水処理装置。
【請求項９】
汚水流入設備でマンホールを通ってポンプ井または沈砂池に入った後に曝気槽に入った汚水を活性汚泥を利用して処理し、この曝気槽から出た混合液が直接的にまたは間接的に入る沈澱池により処理された沈澱汚泥を抑制汚泥として前記汚水流入設備のマンホールに戻すことを特徴とする汚水処理方法。
【請求項１０】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、前記汚水流入設備では流入汚水がマンホールを通ってポンプ井または沈砂池に入った後に曝気槽に供給され、前記汚泥処理設備では沈澱汚泥が汚泥分配槽により汚泥貯溜槽に分配され、前記沈澱池から出た沈澱汚泥を抑制汚泥として前記汚泥処理設備の汚泥分配槽から前記汚水流入設備のマンホールに戻す循環通路を設けたことを特徴とする汚水処理装置。
【請求項１１】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、前記汚水流入設備では流入汚水がポンプ井または沈砂池に入った後に曝気槽に供給され、前記汚泥処理設備では沈澱汚泥が汚泥分配槽により汚泥貯溜槽と濃縮槽とに分配され、前記沈澱池から出た沈澱汚泥を抑制汚泥として前記汚泥処理設備の汚泥分配槽から濃縮槽を通って前記汚水流入設備のポンプ井または沈砂池に戻す循環通路を設けたことを特徴とする汚水処理装置。
【請求項１２】
前記汚水流入設備にあって曝気槽に入る前の設備と、前記汚泥処理設備にあって前記沈澱池から出た沈澱汚泥を貯溜する汚泥貯溜槽とこの沈澱池との間の設備とのうち、少なくとも一方の設備に廃棄物投入口を設けたことを特徴とする請求項１または請求項４または請求項５または請求項６または請求項７または請求項１０または請求項１１に記載の汚水処理装置。
【手続補正２】
【補正対象書類名】明細書
【補正対象項目名】０００７
【補正方法】変更
【補正の内容】
【０００７】
後記実施形態の図面（図１〜８）の符号を援用して本発明を説明する。
＊  請求項１〜４の発明
請求項１の発明にかかる汚水処理装置（図４参照）は、下記のように構成されている。
【手続補正３】
【補正対象書類名】明細書
【補正対象項目名】０００８
【補正方法】変更
【補正の内容】
【０００８】
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚水流入設備（２）にあっては流入汚水（６）がマンホール（７）を通ってポンプ井（８ａ）または沈砂池（８ｂ）に入った後に曝気槽（１）に供給される。前記汚泥処理設備（４）にあっては前記沈澱池（３）から出た沈澱汚泥を貯溜する汚泥貯溜槽（１１）を備え、この汚泥貯溜槽（１１）内の沈澱汚泥を減量汚泥として前記汚水流入設備（２）のマンホール（７）に戻す循環通路（３１）を設けている。
【手続補正４】
【補正対象書類名】明細書
【補正対象項目名】０００９
【補正方法】変更
【補正の内容】
【０００９】
請求項２の発明にかかる汚水処理方法（図４参照）は、下記のように構成されている。
汚水流入設備（２）でマンホール（７）を通ってポンプ井（８ａ）または沈砂池（８ｂ）に入った後に曝気槽（１）に入った汚水を活性汚泥を利用して処理し、この曝気槽（１）から出た混合液が直接的にまたは間接的に入る沈澱池（３）により処理された沈澱汚泥を汚泥処理設備（４）の汚泥貯溜槽（１１）で貯溜した後、この汚泥貯溜槽（１１）内の沈澱汚泥を減量汚泥として前記汚水流入設備（２）のマンホール（７）に戻す。
請求項４の発明にかかる汚水処理装置（図５参照）は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚水流入設備（２）にあっては流入汚水（６）がポンプ井（８ａ）または沈砂池（８ｂ）に入った後に曝気槽（１）に供給される。前記汚泥処理設備（４）にあっては前記沈澱池（３）から出た沈澱汚泥が濃縮槽（１５）に供給された後にこの濃縮槽（１５）から出た濃縮汚泥が汚泥貯溜槽（１１）に供給され、この汚泥貯溜槽（１１）内の貯溜汚泥を減量汚泥として前記汚水流入設備（２）のポンプ井（８ａ）または沈砂池（８ｂ）に戻す循環通路（３１）を設けている。
【手続補正５】
【補正対象書類名】明細書
【補正対象項目名】００１０
【補正方法】変更
【補正の内容】
【００１０】
請求項１，２，４の発明では、活性化された沈澱汚泥が汚泥処理設備（４）の汚泥貯溜槽（１１）を通って汚水流入設備（２）に戻るので、汚泥貯溜槽（１１）に入った活性化沈澱汚泥のうち、この汚泥貯溜槽（１１）で液状化された汚泥が減量汚泥として汚水流入設備（２）で再処理され、汚泥貯溜槽（１１）に残った貯溜汚泥は汚泥処理される。従って、活性化沈澱汚泥から分離された減量汚泥を循環させるだけの簡単な汚泥処理設備（４）により、汚泥貯溜槽（１１）から出る貯溜汚泥を減量することができる。
【手続補正６】
【補正対象書類名】明細書
【補正対象項目名】００１１
【補正方法】変更
【補正の内容】
【００１１】
請求項３の発明（図４参照）においては、請求項２の発明にかかる汚泥処理設備（４）の汚泥貯溜槽（１１）内に空気を強制導入する。請求項３の発明では、この空気により汚泥貯溜槽（１１）内で液状化された減量汚泥を生成し易くなるので、請求項２の発明の効果を助長する。
【手続補正７】
【補正対象書類名】明細書
【補正対象項目名】００１２
【補正方法】変更
【補正の内容】
【００１２】
＊  請求項５〜７の発明
請求項５の発明にかかる汚水処理装置（図６参照）は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚泥処理設備（４）にあっては前記沈澱池（３）から出た沈澱汚泥を貯溜する汚泥貯溜槽（１１）を備え、この汚泥貯溜槽（１１）内の沈澱汚泥を減量汚泥として前記汚水流入設備（２）のポンプ井（８ａ）または沈砂池（８ｂ）に戻す減量汚泥循環通路（３１）を設けている。前記汚水流入設備（２）にあっては流入汚水（６）がマンホール（７）を通ってポンプ井（８ａ）または沈砂池（８ｂ）に入った後に曝気槽（１）に供給され、前記沈澱池（３）から出た沈澱汚泥を抑制汚泥として前記汚水流入設備（２）のマンホール（７）に戻す循環通路（２８，２９）を設けている。
請求項６の発明にかかる汚水処理装置（図６参照）は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚泥処理設備（４）にあっては前記沈澱池（３）から出た沈澱汚泥を貯溜する汚泥貯溜槽（１１）を備え、この汚泥貯溜槽（１１）内の貯溜汚泥を減量汚泥として前記汚水流入設備（２）のポンプ井（８ａ）または沈砂池（８ｂ）に戻す循環通路（３１）を設けている。前記汚水流入設備（２）にあっては流入汚水（６）がマンホール（７）を通ってポンプ井（８ａ）または沈砂池（８ｂ）に入った後に曝気槽（１）に供給される。前記汚泥処理設備（４）では沈澱汚泥が汚泥分配槽（１０）により汚泥貯溜槽（１１）に分配され、前記沈澱池（３）から出た沈澱汚泥を抑制汚泥として前記汚泥処理設備（４）の汚泥分配槽（１０）から前記汚水流入設備（２）のマンホール（７）に戻す循環通路（２８）を設けている。
請求項７の発明にかかる汚水処理装置（図７参照）は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚泥処理設備（４）にあっては前記沈澱池（３）から出た沈澱汚泥を貯溜する汚泥貯溜槽（１１）を備え、この汚泥貯溜槽（１１）内の貯溜汚泥を減量汚泥として前記汚水流入設備（２）のポンプ井（８ａ）または沈砂池（８ｂ）に戻す循環通路（３１）を設けている。前記汚水流入設備（２）にあっては流入汚水（６）がポンプ井（８ａ）または沈砂池（８ｂ）に入った後に曝気槽（１）に供給される。前記汚泥処理設備（４）では沈澱汚泥が汚泥分配槽（１０）により汚泥貯溜槽（１１）と濃縮槽（３０）とに分配され、前記沈澱池（３）から出た沈澱汚泥を抑制汚泥として前記汚泥処理設備（４）の汚泥分配槽（１０）から濃縮槽（３０）を通って前記汚水流入設備（２）のポンプ井（８ａ）または沈砂池（８ｂ）に戻す循環通路（２８）を設けている。
【手続補正８】
【補正対象書類名】明細書
【補正対象項目名】００１３
【補正方法】変更
【補正の内容】
【００１３】
請求項５〜７の発明では、請求項１，２，４の発明の効果に加え、活性化された沈澱汚泥が汚水流入設備（２）に戻るので、流入汚水（６）が曝気槽（１）に至る前処理段階である汚水流入設備（２）でも、この活性化沈澱汚泥により流入汚水（６）に対する曝気作用を生じ、汚水流入設備（２）での予備的曝気処理と曝気槽（１）での本来的曝気処理とを行い、活性化沈澱汚泥を循環させるだけの簡単な設備により、単位時間あたりの曝気能力（活性能力）を高めて汚泥の発生を抑制することができる。従って、減量汚泥と抑制汚泥との相乗効果により、汚水処理装置において途中処理段階や最終処理段階で発生する各種汚泥を少なくして汚泥処理負担を軽減し得るので、汚水処理装置をより一層簡略化することができる。
【手続補正９】
【補正対象書類名】明細書
【補正対象項目名】００１４
【補正方法】変更
【補正の内容】
【００１４】
また、汚水流入設備（２）において前記減量汚泥が前記流入汚水（６）に加わって前記抑制汚泥による予備的曝気処理を助長し、単位時間あたりの曝気能力（活性能力）を高めて汚泥の発生をより一層抑制することができる。
【手続補正１０】
【補正対象書類名】明細書
【補正対象項目名】００１５
【補正方法】変更
【補正の内容】
【００１５】
＊  請求項８〜１１の発明
請求項８の発明にかかる汚水処理装置（図１，６参照）は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）とを備えている。前記汚水流入設備（２）にあっては流入汚水（６）がマンホール（７）を通ってポンプ井（８ａ）または沈砂池（８ｂ）に入った後に曝気槽（１）に供給され、前記沈澱池（３）から出た沈澱汚泥を抑制汚泥として前記汚水流入設備（２）のマンホール（７）に戻す循環通路（２８，２９）を設けている。
【手続補正１１】
【補正対象書類名】明細書
【補正対象項目名】００１６
【補正方法】変更
【補正の内容】
【００１６】
請求項９の発明にかかる汚水処理方法（図１，６参照）は、下記のように構成されている。
汚水流入設備（２）でマンホール（７）を通ってポンプ井（８ａ）または沈砂池（８ｂ）に入った後にから曝気槽（１）に入った汚水を活性汚泥を利用して処理し、この曝気槽（１）から出た混合液が直接的にまたは間接的に入る沈澱池（３）により処理された沈澱汚泥を抑制汚泥として前記汚水流入設備（２）のマンホール（７）に戻す。
請求項１０の発明にかかる汚水処理装置（図１，６参照）は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚水流入設備（２）では流入汚水（６）がマンホール（７）を通ってポンプ井（８ａ）または沈砂池（８ｂ）に入った後に曝気槽（１）に供給される。前記汚泥処理設備（４）では沈澱汚泥が汚泥分配槽（１０）により汚泥貯溜槽（１１）に分配され、前記沈澱池（３）から出た沈澱汚泥を抑制汚泥として前記汚泥処理設備（４）の汚泥分配槽（１０）から前記汚水流入設備（２）のマンホール（７）に戻す循環通路（２８）を設けている。
請求項１１の発明にかかる汚水処理装置（図３，７参照）は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚水流入設備（２）では流入汚水（６）がポンプ井（８ａ）または沈砂池（８ｂ）に入った後に曝気槽（１）に供給される。前記汚泥処理設備（４）では沈澱汚泥が汚泥分配槽（１０）により汚泥貯溜槽（１１）と濃縮槽（３０）とに分配され、前記沈澱池（３）から出た沈澱汚泥を抑制汚泥として前記汚泥処理設備（４）の汚泥分配槽（１０）から濃縮槽（３０）を通って前記汚水流入設備（２）のポンプ井（８ａ）または沈砂池（８ｂ）に戻す循環通路（２８）を設けている。
【手続補正１２】
【補正対象書類名】明細書
【補正対象項目名】００１７
【補正方法】変更
【補正の内容】
【００１７】
請求項８〜１１の発明では、活性化された沈澱汚泥が汚水流入設備（２）に戻るので、流入汚水（６）が曝気槽（１）に至る前処理段階である汚水流入設備（２）でも、この活性化沈澱汚泥により流入汚水（６）に対する曝気作用を生じ、汚水流入設備（２）での予備的曝気処理と曝気槽（１）での本来的曝気処理とを行う。従って、活性化沈澱汚泥を循環させるだけの簡単な設備により、単位時間あたりの曝気能力（活性能力）を高めて汚泥の発生を抑制することができる。
【手続補正１３】
【補正対象書類名】明細書
【補正対象項目名】００１８
【補正方法】変更
【補正の内容】
【００１８】
＊  請求項１２の発明（図６，７参照）
請求項１２の発明にかかる汚水処理装置は、請求項１または請求項４または請求項５または請求項６または請求項７または請求項１０または請求項１１の発明を前提として下記のように構成されている。